(57)【要約】【課題】装置の消費電力に応じた正確な電気料金をユーザに提示する。【解決手段】消費電力に応じた電気料金を画面に表示させる放送受信装置であって、当該装置が設置された地域の放送信号を受信するために、ユーザからの地域設定を受け付ける地域設定受付手段と、上記設定された地域における電気料金体系を示す電気料金情報を取得する料金情報取得手段と、上記消費電力および上記取得された電気料金情報に基づいて電気料金を算出し、当該算出した電気料金を上記画面に表示させる料金表示手段と、を備える。【選択図】図２
2013243608.tif 000002
【特許請求の範囲】
【請求項１】
消費電力に応じた電気料金を画面に表示させる放送受信装置であって、
当該装置が設置された地域の放送信号を受信するために、ユーザからの地域設定を受け付ける地域設定受付手段と、
上記設定された地域における電気料金体系を示す電気料金情報を取得する料金情報取得手段と、
上記消費電力および上記取得された電気料金情報に基づいて電気料金を算出し、当該算出した電気料金を上記画面に表示させる料金表示手段と、を備えることを特徴とする放送受信装置。
【請求項２】
上記設定された地域が複数の電力供給事業者から電力供給を受けることが可能な地域である場合に、当該複数の電力供給事業者の中から電力供給事業者の選択を受け付ける事業者選択受付手段を備え、
上記料金情報取得手段は、上記選択された電力供給事業者にかかる電気料金情報を取得する、ことを特徴とする請求項１に記載の放送受信装置。
【請求項３】
上記電気料金情報は、上記放送信号に含まれており、
上記料金情報取得手段は、上記放送信号から上記電気料金情報を取得する、ことを特徴とする請求項１または請求項２に記載の放送受信装置。
【請求項４】
ユーザと電力供給事業者との電気料金についての契約種別の設定を受け付ける契約設定受付手段を備え、
上記料金表示手段は、上記取得された電気料金情報のうち上記設定された契約種別に対応した情報に基づいて電気料金を算出する、ことを特徴とする請求項１〜請求項３のいずれかに記載の放送受信装置。
【請求項５】
停電を予告する情報を取得する停電情報取得手段と、
上記取得した予告が示す停電の時間帯において少なくとも特定の機能について駆動を停止させる駆動停止手段と、を備えることを特徴とする請求項１〜請求項４のいずれかに記載の放送受信装置。
【発明の詳細な説明】
【技術分野】
【０００１】
本発明は、放送受信装置に関する。
【背景技術】
【０００２】
ＴＶ受像機は、ＢＤレコーダから受信した消費電力情報と、自機の消費電力情報と、インターネットを介して取得した電気料金情報とに基づき、省電力設定を変更した場合の電力量監視システムの全て又は一部の電気料金を算出し、電気料金の増減量をディスプレイに表示する構成が知られている（特許文献１参照。）。
また、自装置の累積の消費電力量を画面に表示する構成が知られている（特許文献２，３参照。）。
【先行技術文献】
【特許文献】
【０００３】
【特許文献１】特開２０１０‐１９７０９０号公報
【特許文献２】特開２０１１‐１３３５７１号公報
【特許文献３】特開２０１１‐９５８１８号公報
【発明の概要】
【発明が解決しようとする課題】
【０００４】
一般に、ユーザが居住する地域に応じて電力供給事業者は異なり、電気料金は電力供給事業者毎に独自の料金体系を定めることができる。また、居住する地域や電力供給事業者が同じであっても、ユーザ毎に電気使用に関する電力供給事業者との契約内容は異なり得る。すなわち、例えばテレビやレコーダについて、装置の消費電力に基づく電気料金をユーザに提示しようとする場合に、考慮すべき各種事情が存在していた。
しかしながら従来においては、このような各種事情が十分に考慮されていなかったため、ユーザは自身にとって真に正確な電気料金を知ることが難しかった。
【０００５】
本発明は少なくとも上記課題を解決するためになされたものであり、装置の消費電力に応じた正確な電気料金をユーザに提示することが可能な放送受信装置を提供する。
【課題を解決するための手段】
【０００６】
本発明の態様の一つは、消費電力に応じた電気料金を画面に表示させる放送受信装置であって、当該装置が設置された地域の放送信号を受信するために、ユーザからの地域設定を受け付ける地域設定受付手段と、上記設定された地域における電気料金体系を示す電気料金情報を取得する料金情報取得手段と、上記消費電力および上記取得された電気料金情報に基づいて電気料金を算出し、当該算出した電気料金を上記画面に表示させる料金表示手段と、を備える構成としてある。
【０００７】
当該構成によれば、放送受信装置は、当該装置が設置された地域の設定を受け付け、上記設定された地域における電気料金体系を示す電気料金情報を取得し、上記消費電力および上記取得された電気料金情報に基づいて電気料金を算出し、当該算出した電気料金を上記画面に表示させる。そのためユーザは、放送受信装置を設置した地域における電気料金体系に基づいた、当該装置を使用したことによる正確な電気料金を知ることができる。
【図面の簡単な説明】
【０００８】
【図１】装置構成を概略的に示すブロック図である。
【図２】電気料金情報取得処理を示すフローチャートである。
【図３】電気料金表示処理を示すフローチャートである。
【図４】電気料金表示処理を示すフローチャートである。
【図５】表示パネルに電気料金が表示される様子を例示する図である。
【図６】機能オフ処理を示すフローチャートである。
【発明を実施するための形態】
【０００９】
本発明の実施形態の一つとして、放送受信装置は、上記設定された地域が複数の電力供給事業者から電力供給を受けることが可能な地域である場合に、当該複数の電力供給事業者の中から電力供給事業者の選択を受け付ける事業者選択受付手段を備え、上記料金情報取得手段は、上記選択された電力供給事業者にかかる電気料金情報を取得する、としてもよい。
また、本発明の実施形態の一つとして、上記電気料金情報は、上記放送信号に含まれており、上記料金情報取得手段は、上記放送信号から上記電気料金情報を取得する、としてもよい。
また、本発明の実施形態の一つとして、放送受信装置は、ユーザと電力供給事業者との電気料金についての契約種別の設定を受け付ける契約設定受付手段を備え、上記料金表示手段は、上記取得された電気料金情報のうち上記設定された契約種別に対応した情報に基づいて電気料金を算出する、としてもよい。
また、本発明の実施形態の一つとして、放送受信装置は、停電を予告する情報を取得する停電情報取得手段と、上記取得した予告が示す停電の時間帯において少なくとも特定の機能について駆動を停止させる駆動停止手段と、を備えるとしてもよい。
【００１０】
また、本発明の思想は、放送受信装置としてだけではなく、放送受信装置の各構成が実現する処理工程を有する方法の発明や、当該処理工程をコンピュータに実行させるコンピュータ読取可能なプログラムの発明としても具現化される。
【００１１】
以下、図面を参照しながら本発明の実施形態を詳細に説明する。
１．装置構成の概略
図１は、本実施形態にかかる装置構成を概略的に示したブロック図である。記録再生装置１０は、放送受信装置１の一例であり、チューナ１１、システムオンチップ（ＳｏＣ）１２、操作部１３、赤外線（ＩＲ）受光部１４、ディスクドライブ１５、ハードディスクドライブ（ＨＤＤ）１６などを備える。記録再生装置１０としては、ＤＶＤ（Digital Versatile Disk）やＢＤ（Blu-ray Disc）等のデジタルメディアやＨＤＤへの情報の記録、当該デジタルメディアやＨＤＤに記録された情報の再生等が可能なプレーヤやレコーダ等が該当する。
【００１２】
記録再生装置１０と通信可能に接続した表示装置２０は、例えば、タイミングコントローラ（Ｔ‐ＣＯＮ）２１や表示パネル２２を備える。表示パネル２２は、例えば、液晶パネルや、プラズマディスプレイパネルや、有機ＥＬディスプレイ等が該当する。
なお、記録再生装置１０の内部構成と表示装置２０の内部構成とを併せ持った装置を一つの製品（テレビ）として把握することも可能であり、放送受信装置１は、このようなテレビであってもよい。
【００１３】
ＳｏＣ１２は、放送受信装置１を制御するためのワンチップ化された集積回路であり、ＣＰＵや各種メモリ（ＲＯＭやＲＡＭ等）を搭載する。ＳｏＣ１２は、所定のプログラムに従って放送受信装置１を制御する。チューナ１１は、ＳｏＣ１２による制御下で、放送信号を受信し、中間周波信号（ＩＦ）をＳｏＣ１２へ出力する。ＳｏＣ１２は、ＩＦに基づいて映像信号や音声信号をデコードしたり、映像信号に対して所定の補正や画質調整を実行し、映像信号をＴ‐ＣＯＮ２１へ出力したりする。
【００１４】
ディスクドライブ１５は、挿入されたデジタルメディアを対象として情報の読み出しおよび情報の書き込みが可能である。ＨＤＤ１６は、記憶手段の一種に該当し、チューナ１１を介して受信された放送信号に含まれる番組（コンテンツの一種）や不図示のインターネット回線を介してダウンロードされた動画等の各種コンテンツを保存することができる。ＳｏＣ１２は、ディスクドライブ１５がデジタルメディアから読み出したコンテンツやＨＤＤ１６から読み出したコンテンツにかかる映像信号をＴ‐ＣＯＮ２１へ出力することもできる。
【００１５】
Ｔ‐ＣＯＮ２１は、入力した映像信号をフレームメモリ（図示せず）に一時的に保存しつつ、当該保存した信号に対応する駆動信号を所定のタイミングで表示パネル２２に出力することにより、画素の配列により構成された表示パネル２２を駆動して表示パネル２２に映像信号に基づく映像を表示させる。なお、放送受信装置１は、必ずしもディスクドライブ１５やＨＤＤ１６を筺体に内蔵する必要は無く、ＵＳＢ（Universal Serial Bus）等の通信規格を通じて外付けのディスクドライブ１５やＨＤＤ１６と接続しても良い。
【００１６】
操作部１３は、ボタンやスイッチやタッチパネル等からなり、ユーザが入力する指示を受け付ける。ＩＲ受光部１４は、ユーザが操作するリモートコントロール（リモコン）装置３０から送信されるＩＲ信号を受信する。なお、放送受信装置１は、図１に示した構成以外にも、映像や音声を外部から入力するための外部入力端子、電源回路、その他、音声信号処理回路やスピーカ等、公知の各構成を備え得る。
【００１７】
２．電気料金情報取得処理
図２は、本実施形態において放送受信装置１が実行可能な電気料金情報取得処理をフローチャートにより示している。図２の処理は、基本的には、ユーザが放送受信装置１を所望の場所に設置し、放送受信装置１の電源を投入した際に実行される初期設定と併せて行なわれる。まずステップＳ１００では、ＳｏＣ１２は、外部からの指示により、放送受信装置１が設置された場所が属する地域の放送信号を受信するために当該地域の設定を受け付ける。つまりユーザは、操作部１３やリモコン装置３０を操作することにより、表示パネル２２に表示された初期設定用のユーザインターフェイス（ＵＩ）画面を通じて、放送受信装置１を設置した場所が属する地域を入力する。例えば、ユーザは、地域の郵便番号を入力したり、地域名（県名等）を入力したりする。ＳｏＣ１２は、かかる入力に応じて、放送受信装置１が設置された地域を確定する。当該ステップＳ１００を実現可能な機能を有する点で、放送受信装置１は、地域設定受付手段を備えると言える。
【００１８】
ステップＳ１１０では、ＳｏＣ１２は、ステップＳ１００で受け付けた設定にかかる地域（以下、設定地域）が、複数の電力供給事業者（電力会社）から電力供給を受けることが可能な地域であるか否か判定する。一般に、地域毎に電力供給事業者は異なり得るものである。また、ある地域においては１つの事業者が独占的に電力供給を行なっている場合もあれば、他の地域ではユーザが複数の事業者の中から任意に契約先を選択して電力供給を受けることができる場合もある。そこで、ＳｏＣ１２は、各電力供給事業者がそれぞれ電力供給を可能な地域を予め記述した所定のデータ（事業者‐地域関連付けデータ）等を参照することにより、設定地域が、複数の電力供給事業者から電力供給を受けることが可能な地域であるか否か判定する。なお、事業者‐地域関連付けデータは、例えば、放送受信装置１内の所定のメモリに予め保存されている。ＳｏＣ１２は、設定地域が、複数の電力供給事業者から電力供給を受けることが可能な地域であると判定した場合にはステップＳ１２０へ進み、そうでないと判定した場合はステップＳ１２０をスキップする。
【００１９】
ステップＳ１２０では、ＳｏＣ１２は、設定地域において電力供給を受けることが可能な複数の電力供給事業者の中からの電力供給事業者の選択を受け付ける。この場合、ＳｏＣ１２は、例えば、事業者‐地域関連付けデータを参照することにより設定地域を管轄に含む複数の電力供給事業者を抽出し、当該抽出した複数の電力供給事業者の一覧を、ＵＩ画面に表示させる。ユーザは、当該ＵＩ画面に表示された一覧の中から、現に自己（放送受信装置１を設置した建物）が電力供給の契約を結んでいる電力供給事業者を、操作部１３やリモコン装置３０を操作することにより選択する。ＳｏＣ１２は、かかる選択を受け付ける。当該ステップＳ１１０，Ｓ１２０を実現可能な機能を有する点で、放送受信装置１は、事業者選択受付手段を備えると言える。
【００２０】
ステップＳ１３０では、ＳｏＣ１２は、設定地域における電力供給事業者を設定する。つまり、ステップＳ１２０を経由した場合には、ステップＳ１２０にて受け付けた選択にかかる電力供給事業者を、設定地域における電力供給事業者として設定する。一方、ステップＳ１１０からステップＳ１２０を経ずにステップＳ１３０へ進んだ場合は、設定地域を管轄する電力供給事業者は１つしかなく、ユーザに選択の余地はない。そのため、設定地域を管轄する当該１つの電力供給事業者を、設定地域における電力供給事業者として自動的に設定する。
【００２１】
ステップＳ１４０では、ＳｏＣ１２は、ユーザと上記ステップＳ１３０で設定された電力供給事業者との間で現に結ばれている電気料金についての契約種別の設定を受け付ける。電力供給事業者とユーザとの間で結ぶ契約種別（料金プラン）はユーザ毎に異なり得る。例えば、電力の単位使用量（１ｋＷ）あたりの料金を全時間帯において同一とした料金プランや、時間帯に応じて異ならせた料金プラン等が存在し、さらには、契約にかかる建物が備える設備（太陽光パネル等）の有無によっても料金プランは変り得る。そこでユーザは、操作部１３やリモコン装置３０を操作することにより、ＵＩ画面を通じて、自己が電力供給事業者との間で結んでいる契約種別を設定し、ＳｏＣ１２は、かかる設定を受け付ける。当該ステップＳ１４０を実現可能な機能を有する点で、放送受信装置１は、契約設定受付手段を備えると言える。ただし、電気料金についての契約種別を放送受信装置１へ設定するか否かはユーザの任意であり、当該ステップＳ１４０は実行されない場合もある。
【００２２】
ステップＳ１５０では、ＳｏＣ１２は、設定地域の情報に基づいて、放送信号の受信に必要な初期設定を実行する。ステップＳ１５０で実行する初期設定とは、一般的なチャンネル設定を含み、チューナ１１が各周波数帯をスキャンし、設定地域において各チャンネルで視聴可能な放送信号をサーチし各チャンネルに設定する。ステップＳ１５０の初期設定を実行するタイミングは、必ずしも図１に示したタイミングに限られず、ステップＳ１００で設定地域が定まれば、実行可能である。
【００２３】
ステップＳ１６０では、ＳｏＣ１２は、チューナ１１を介して受信した放送信号から電気料金情報を抽出する。電気料金情報とは各電力供給事業者がそれぞれ採用する電気料金体系を示す情報である。放送信号には、テレビ番組以外にも、電子番組ガイド（ＥＰＧ）やデータ放送による様々な種類（例えば天気予報等）の情報が重畳されている。本実施形態では、そのような情報の一種として、放送信号には、電気料金情報が含まれているものとする。より具体的には、放送事業者は、少なくとも自社の放送電波を受信可能な地域を管轄に含む全ての電力供給事業者についての電気料金情報を、データ放送の一情報として放送電波に載せて発信する。
【００２４】
ステップＳ１７０では、ＳｏＣ１２は、ステップＳ１６０で抽出した電気料金情報のうち、ステップＳ１３０で設定した電力供給事業者の電気料金情報を、放送受信装置１内の所定のメモリに保存する。これにより、ＳｏＣ１２は、上記設定された地域における電気料金体系を示す電気料金情報を放送信号から取得できたこととなる。当該ステップＳ１６０，Ｓ１７０を実現可能な機能を有する点で、放送受信装置１は、料金情報取得手段を備えると言える。
【００２５】
ここで、ステップＳ１７０までの処理を一つの具体例に従って説明する。例えば、ある放送事業者の放送電波を受信し視聴可能な範囲が地域Ａおよび地域Ｂであり、地域Ａは、電力供給事業者ａおよび電力供給事業者ｂの管轄、地域Ｂは、電力供給事業者ｃの管轄であるとする。この場合、当該放送事業者は、少なくとも電力供給事業者ａ，ｂ，ｃそれぞれの電気料金情報を、放送電波に載せて発信する。従って、上記設定地域が地域Ａである場合（ステップＳ１００）、放送受信装置１のユーザは、電力供給事業者ａ，ｂいずれか一方と契約を結んで電力供給を受けているはずであり、電力供給事業者ａ，ｂのいずれか一方が地域Ａにおける電力供給事業者として設定される（ステップＳ１１０〜Ｓ１３０）。例えば、ユーザが電力供給事業者ａと契約を結んでいる場合は、ステップＳ１７０において、電力供給事業者ａの電気料金情報を取得し、保存することとなる。
【００２６】
なお、上記事業者‐地域関連付けデータも、電気料金情報と同様に放送信号から抽出されて取得するとしてもよい。その場合、ＳｏＣ１２は、ステップＳ１００の後、まずステップＳ１５０およびステップＳ１６０を実行し、かつステップＳ１６０において事業者‐地域関連付けデータも放送信号から抽出する。その後、ステップＳ１１０〜Ｓ１４０を実行し、最後にステップＳ１７０を実行する。
【００２７】
３．電気料金表示処理
図３は、本実施形態において放送受信装置１が実行可能な電気料金表示処理をフローチャートにより示している。図３（後述の図４も同様。）の処理は、図２の処理が実行済みであることを前提としている。ユーザが、操作部１３やリモコン装置３０を操作することにより、放送受信装置１の電源を投入し任意に駆動開始させると、ＳｏＣ１２は、駆動時間の計測を開始する（ステップＳ２００）。ここで言う放送受信装置１の駆動開始とは、例えば、放送中のテレビ番組の視聴開始や、ディスクドライブ１５の駆動開始（デジタルメディアに記録されたコンテンツの再生開始やデジタルメディアへの書き込み開始）や、ＨＤＤの駆動開始（ＨＤＤに記録されたコンテンツの再生開始やＨＤＤへの書き込み開始）等を意味する。
【００２８】
ステップＳ２１０では、ＳｏＣ１２は、放送受信装置１が有する機能毎の消費電力の理論値（単位時間当たりの消費電力）と、当該時点での機能毎の駆動時間の累積値と、上記ステップＳ１７０で保存済みの電気料金情報とに基づいて、電気料金を算出する。機能毎の消費電力の理論値とは、具体的には、テレビ番組を受信し視聴させる機能により消費する電力の理論値、ディスクドライブ１５を駆動させて書き込みを行なう機能により消費する電力の理論値、ディスクドライブ１５を駆動させてコンテンツの再生を行なう機能により消費する電力の理論値、ＨＤＤ１６を駆動させて書き込みを行なう機能により消費する電力の理論値、ＨＤＤ１６を駆動させてコンテンツの再生を行なう機能により消費する電力の理論値、等であり予め決められている。このような各理論値は、放送受信装置１内の所定のメモリに予め保存されていてもよいし、電気料金情報等と同様に放送信号から抽出されて取得するとしてもよいし、あるいは、インターネットを経由して所定のサーバからダウンロードされて取得してもよい。
【００２９】
上記保存済みの電気料金情報には、電力の単位使用量あたりの料金が記述されているため、ＳｏＣ１２は、このような単位使用量あたりの料金と、機能毎の消費電力の理論値と、機能毎の駆動時間の累積値と、を乗算することにより、電気料金を算出する。一例として、ステップＳ２００後、ユーザが、あるチャンネルで放送中のテレビ番組を視聴しつつ、別のチャンネルで放送中の別のテレビ番組をＨＤＤ１６に録画する（放送受信装置１は２つ以上のチューナ１１を有する。）場合を考える。この場合、ＳｏＣ１２は、テレビ番組を受信し視聴する機能により消費する電力の理論値と、当該視聴を開始してからの累積時間と、上記単位使用量あたりの料金とに基づいて電気料金を算出し、かつ、ＨＤＤを駆動させて書き込みを行なう機能により消費する電力の理論値と、当該書き込みを開始してからの累積時間と、上記単位使用量あたりの料金と、に基づいて電気料金を算出する。なお、ある機能についての上記理論値×累積時間が、当該機能による消費電力である。
【００３０】
ステップＳ２２０では、ＳｏＣ１２は、算出した電気料金を表示するタイミングであるか否か判定する。電気料金を表示するタイミングとは、例えば、ユーザが、操作部１３やリモコン装置３０を操作することにより任意に指示したタイミングや、予め決められたタイミング（例えば、それまで駆動させていた機能を終了させるタイミング）等である。ＳｏＣ１２は、算出した電気料金を表示するタイミングであると判定した場合にはステップＳ２３０に進み、算出した電気料金を表示するタイミングでないと判定した場合にはステップＳ２１０の処理を繰り返す。つまり、電気料金を表示するタイミングになるまで、ステップＳ２１０が繰り返され、駆動時間の経過とともに電気料金の算出結果が更新される。
【００３１】
ステップＳ２３０では、ＳｏＣ１２は、その時点で最新の算出結果としての電気料金を、表示パネル２２に表示させる。
図５は、当該ステップＳ２３０等において電気料金を表示パネル２２に表示させた場合の一例を示している。例えば、ユーザが放送受信装置１を駆動開始させてから任意のタイミングで電気料金表示をリモコン装置３０等で指示した場合に、このような表示がなされる。図５では、ＴＶ視聴とＨＤＤ録画といった機能毎のその時点での電気料金が表示されている。また、各電気料金に付随して、図に示すように消費電力量（Ｗ）を表示してもよい。さらには、各電気料金に付随して、機能毎の駆動の累積時間を表示してもよい。また、図５のように、機能毎の電気料金を分けてユーザに提示するだけでなく、それらの合計値を表示して、トータルでの電気料金をユーザが容易に判るようにしても良い。
【００３２】
図４は、本実施形態において放送受信装置１が実行可能な電気料金表示処理であって、図３とは異なる例をフローチャートにより示している。図３では、電気料金を表示すべき所定のタイミングで表示するとしたが、図４の例では、電気料金の算出と並行してリアルタイムで電気料金を表示パネル２２に表示させる。具体的には、ステップＳ３００，Ｓ３１０は、図３のステップＳ２００，Ｓ２１０と同じであるが、ＳｏＣ１２は、ステップＳ３２０では、ステップＳ３１０で算出された最新の電気料金をステップＳ３１０とほぼ同時に表示する。そして、ＳｏＣ１２は、ステップＳ３００で駆動開始した機能を終了させる時に、電気料金の表示も終了させるタイミングであると判断し（ステップＳ３３０において“Ｙｅｓ”）、電気料金の表示を終了させる。表示パネル２２の画面内における電気料金の表示態様は特に限られないが、例えば、ユーザがテレビ番組を視聴中であれば、視聴中の番組内容の邪魔とならないように、画面の隅近傍に比較的小さな文字で電気料金を表示する。むろん、複数の機能毎の電気料金を算出した場合には、それらを並列的に表示しても良いし合計した料金を表示しても良い。
【００３３】
上記図２の説明において、ＳｏＣ１２は、ユーザと電力供給事業者との間で現に結ばれた電気料金についての契約種別の設定を受け付ける（ステップＳ１４０）場合があるとした。そのような場合、ＳｏＣ１２は、電気料金の算出において（ステップＳ２１０またはＳ３１０）当該設定された契約種別を考慮した算出を行なう。具体的には、ＳｏＣ１２は、上記保存済みの電気料金情報に含まれている情報のうち、ユーザの契約種別に該当する情報（電力の単位使用量あたりの料金）を用いて、電気料金の算出を行なう。例えば、電力の単位使用量あたりの料金が異なる料金プランＰ１と料金プランＰ２とが存在し、ユーザが料金プランＰ１で契約している場合には、料金プランＰ１に基づいて電気料金の算出を行なう。ただし、ユーザがステップＳ１４０で契約種別の設定を行なっていない場合であって、かつ上記保存済みの電気料金情報に複数の契約種別にかかる情報が含まれている場合には、ＳｏＣ１２は、例えば、その電気料金情報の中で最も標準的な契約形態として予め決められた契約種別にかかる情報を用いて電気料金を算出する。
【００３４】
なお、ユーザが直近に放送受信装置１の電源を投入してからの料金だけでなく、過去２４時間分、過去１週間分、さらには過去１ヶ月分等のように、直近に放送受信装置１の電源を投入するよりも以前の期間における放送受信装置１の駆動による電気料金も含めた合計値を、表示するようにしてもよい。
このような電気料金表示処理を実行可能な機能を有する点で、放送受信装置１は、料金表示手段を有すると言える。
【００３５】
このように本実施形態によれば、放送受信装置１は、当該装置が設置された地域に対応する電気料金情報を放送信号から取得し、取得した電気料金情報に基づいて当該装置の駆動による消費電力に応じた電気料金をユーザに画面を通じて提示する。そのため、ユーザは、自己が放送受信装置１を設置した地域特有の電気料金体系を正確に反映した電気料金を知ることができる。また、本実施形態によれば、放送受信装置１を設置した地域において複数の電力供給事業者が存在する場合であっても、ユーザが契約した電力供給事業者が採用する電気料金体系を反映した電気料金が算出され、さらに、ユーザと電力供給事業者との具体的な契約種別の違いを反映した電気料金が算出される。そのため、放送受信装置１を任意に使用するユーザは、その使用に応じた極めて正確な電気料金を知ることができる。
【００３６】
４．変形例
本発明は上述の実施形態に限られるものではなく、その要旨を逸脱しない範囲において種々の態様において実施することが可能であり、例えば以下のような変形例も可能である。上記実施形態や各変形例を適宜組み合わせた内容も、本発明の開示範囲である。以下では、これまでに説明した事項と同様の事項については、適宜説明を省略する。
【００３７】
図６は、一つの変形例にかかるフローチャートであり、放送受信装置１が実行可能な機能オフ処理を示している。ステップＳ４００では、ＳｏＣ１２は、停電予告情報を取得したか否か判定する。停電予告情報とは、電力供給事業者が計画停電を実行する際に、計画停電を予告するためにデータ放送の一情報として放送電波に載せて発信される情報である。停電予告情報には、計画停電を実行する電力供給事業者を特定する情報や、計画停電を実行する時間帯（開始日時および終了日時）を示す情報等が含まれているものとする。ＳｏＣ１２は、チューナ１１を介して受信した放送信号から停電予告情報を抽出し、かつ、その停電予告情報が、上記ステップＳ１３０で設定した電力供給事業者が行う計画停電を予告するものである場合に、停電予告情報を取得したものと判定する。停電予告情報を取得したと判定した場合、ＳｏＣ１２は、ステップＳ４１０へ進む。当該ステップＳ４００を実現可能な機能を有する点で、放送受信装置１は、停電情報取得手段を備えると言える。
【００３８】
ステップＳ４１０では、ＳｏＣ１２は、上記取得した停電予告情報が示す計画停電の開始日時の所定時間前（例えば、１分前）であるか否か判定し、所定時間前となったところで（ステップＳ４１０において“Ｙｅｓ”）、ステップＳ４２０に進む。
ステップＳ４２０では、ＳｏＣ１２は、放送受信装置１が備える機能のうち少なくとも特定の機能について駆動を停止させる（特定機能オフ）。ここで言う特定の機能とは、例えば、ＨＤＤ１６が考えられる。ＨＤＤ１６は、駆動状態において停電により電源供給が突然切れた場合に保存データの喪失や故障のおそれがあるため、計画停電の時間帯に入る前にその駆動を安全に停止させておく。具体的には、ＳｏＣ１２は、不図示の電源回路からＨＤＤ１６への電源供給を停止させる。これにより、上記取得した停電予告情報が示す停電の時間帯において少なくとも上記特定の機能について駆動を停止させることができ、保存データの喪失等を防ぐことができる。
【００３９】
なお、ステップＳ４２０では、ＳｏＣ１２は、放送受信装置１全体について、駆動停止させる（スタンバイ状態とする）としてもよい。当該ステップＳ４１０，Ｓ４２０を実現可能な機能を有する点で、放送受信装置１は、駆動停止手段を備えると言える。
【００４０】
さらなる変形例として、ＳｏＣ１２は、上記のように電気料金を表示パネル２２に表示させた後、ユーザの指示に応じて、放送受信装置１内の機能の一部を駆動停止（電源供給停止）させてもよい。つまりユーザは、機能毎の電気料金や消費電力を、画面を通じて確認し、例えば、電気料金の増加を抑制するために一部の機能（例えば、ディスクドライブ１５やＨＤＤ１６等）について、その駆動を停止する旨の指示を操作部１３やリモコン装置３０を通じて行う。かかる構成とすれば、電気料金の観点からユーザが不要と判断した機能についてオフすることで、放送受信装置１の使用による電気料金を効果的に抑制することができる。
【００４１】
上記ステップＳ１６０では、ＳｏＣ１２は、チューナ１１を介して受信した放送信号から電気料金情報を取得するとした。ただし、電気料金情報は必ずしも放送信号から取得するのではなく、例えば、各地域で放送信号から取得できる電気料金情報と同内容の情報（電気料金情報）が放送受信装置１内の所定のメモリに予め保存されており、ＳｏＣ１２は、該メモリから電気料金情報を取得するようにしてもよい。あるいは、各地域で放送信号から取得できる電気料金情報と同内容の情報（電気料金情報）が、インターネットを経由して所定のサーバから放送受信装置１へダウンロードされて取得してもよい。
【００４２】
なお上記では、地域に応じて異なる電気料金について表示パネル２２に表示する場合について説明した。ただし、電気料金以外にも、例えば、地域に応じて異なる水道やガス等の各種料金であって電気製品等の使用に応じて算出される料金を、表示パネル２２に表示するとしてもよい。
【符号の説明】
【００４３】
１…放送受信装置、１０…記録再生装置、１１…チューナ、１２…ＳｏＣ、１３…操作部、１４…ＩＲ受光部、１５…ディスクドライブ、１６…ＨＤＤ、２０…表示装置、２１…Ｔ‐ＣＯＮ、２２…表示パネル、３０…リモコン装置
【図１】
2013243608.tif 000003
【図２】
2013243608.tif 000004
【図３】
2013243608.tif 000005
【図４】
2013243608.tif 000006
【図５】
2013243608.tif 000007
【図６】
2013243608.tif 000008